(57)【要約】  本発明は、試料キャリア（２００−ｎ）を提供する装置（１００）に関する。この装置（１００）は、実質的に複数の試料キャリアを収容する収容室（１１２）を備えたチューブ（１１０）から成り、収容室はその前端部では、試料キャリアを個別に解放するための保持手段（１２０）により画定されており、その後端部では試料キャリアに力（Ｆ）を加えるためのプッシュロッド（１３０）により画定されている。保持手段は、本発明では弾性的に形成されており、これにより、その都度一番前のまたは一番下の試料キャリア（２００−１）だけを、プッシュロッド（１３０）に対する力（Ｆ）の作用に基づきチューブから解放または放出することができるようになっている。力の作用に際して複数の試料キャリアが同時にチューブから解放されることを防ぐために、プッシュロッドには複数の羽根（１４０）が取り付けられており、これらの羽根は、プッシュロッド（１３０）の周方向（Ｕ）において互いにずらされている。羽根をずらすことにより、力（Ｆ）が作用すると、プッシュロッドはその都度所定の放出行程ａだけ、チューブ内へ押し込まれる。放出行程ａは、１つの試料キャリア（２００−ｎ）の長さまたは直径に合わせられている。
2019525130.tif 000002
【特許請求の範囲】
【請求項１】
所定量の液体、例えば血液を収容するようにそれぞれ形成された試料キャリア（２００−ｎ）を提供する装置（１００）であって、
内部にチューブ（１１０）の長手方向（Ｌ）に重ねられた複数の試料キャリアを収容するための収容室（１１２）を備えるチューブ（１１０）と、
前記チューブ（１１０）の前端部に、片側で前記収容室を制限するように配置された少なくとも１つの保持手段（１２０）と、
前記チューブの後端部に、前記チューブの長手方向（Ｌ）に移動可能に支持されたプッシュロッド（１３０）とを有しており、該プッシュロッド（１３０）は、プッシュロッドヘッド（１３２）の形態の一方の端部でもって前記チューブ（１１０）内に進入して、前記保持手段（１２０）に対して前記収容室を制限しており、かつ前記プッシュロッド（１３０）は、プッシュロッドグリップ（１３４）の形態の他方の端部でもって前記チューブから突出している装置（１００）において、
前記保持手段（１２０）は、一方では前記収容室（１１２）内で前記試料キャリア（２００−ｎ）を保持するため、かつ他方では前記プッシュロッド（１３０）による力作用に基づく、前記収容室（１１２）からの前記試料キャリア（２００−ｎ）の個別放出を管理するために、弾性的に形成されており、
前記プッシュロッド（１３０）の少なくとも前記プッシュロッドグリップの領域には、複数の羽根（１４０−ｎ）が前記プッシュロッドの長手方向（Ｌ）において間隔ａだけ互いに離間して配置されており、隣り合う前記羽根は、前記プッシュロッド（１３０）の周方向（Ｕ）においてそれぞれ所定の周方向角度αだけ、互いにずらされており、
前記チューブ（１１０）の後端部には、前記プッシュロッド（１３０）の前記羽根（１４０−ｎ）を少なくとも１つの所定の周方向角度位置においてのみ通過させるように形成された、通過開口（１１４）が設けられていることを特徴とする、装置（１００）。
【請求項２】
前記羽根（１４０−ｎ）は、それぞれ前記プッシュロッド（１３０）から半径方向に延びている、請求項１記載の装置（１００）。
【請求項３】
それぞれ隣り合う２つの前記羽根が前記プッシュロッドに互いにずらされて配置されている前記周方向角度αは、例えばα＝９０°である、請求項１または２記載の装置（１００）。
【請求項４】
それぞれ隣り合う２つの前記羽根の間の前記間隔ａは、少なくともほぼ、１つの前記試料キャリア（２００−ｎ）の直径または長手方向延在長さに相当する、請求項１から３までのいずれか１項記載の装置（１００）。
【請求項５】
前記チューブ（１１０）は、少なくとも前記収容室（１１２）の領域に、全周にわたって配分された複数の長手方向リブ（１１６）を有しており、これらの長手方向リブ（１１６）は、前記チューブの長手方向に延在すると共に、前記チューブの半径方向内側に突入して、前記収容室を半径方向において制限している、請求項１から４までのいずれか１項記載の装置（１００）。
【請求項６】
前記長手方向リブ（１１６）は、前記チューブ（１１０）と一体的に、前記チューブの壁から該チューブの内部に突出した中空体として形成されている、請求項５記載の装置（１００）。
【請求項７】
例えばキャップまたは栓の形態の閉鎖部材（１５０）が、前記チューブ（１１０）の前記前端部を閉じるために設けられている、請求項１から６までのいずれか１項記載の装置（１００）。
【請求項８】
前記チューブ（１１０）は、透明な材料、例えばガラスまたはプラスチックから製造されている、請求項１から７までのいずれか１項記載の装置（１００）。
【請求項９】
前記保持手段（１２０）は、弾性的な孔あき板の形態で、または半径方向において前記チューブ（１１０）の内部に向かって延在する少なくとも１つの弾性的なウェブまたは弾性的に支持されたウェブの形態で形成されている、請求項１から８までのいずれか１項記載の装置（１００）。
【発明の詳細な説明】
【技術分野】
【０００１】
本発明は、乾燥した液体量、特に血液を有する吸収性の試料キャリアを分析評価用に提供する装置であって、委託された不特定量の液体が、毛管作用に基づき吸収性の試料キャリアに適用され、試料キャリアは液体量の乾燥後に後処理ユニット、例えば試験プレートに供給される装置に関する。
【背景技術】
【０００２】
いわゆる乾燥血液スポット（ＤＢＳ）分析がずっと以前から、血液試料の種々様々な臨床検査用に知られているが、医薬品研究、臨床化学、治療薬モニタリングまたは法医学的毒性学およびドーピング分析等の別の適用分野においても、とりわけ検出に強いＬＣ−ＭＳ／ＭＳ（液体クロマトグラフィータンデム質量分析法）システムとの関連で知られている。ＤＢＳ分析用には、患者の指先またはかかとから採取された僅かな血液滴で十分である。採取された血液は、例えば米国特許第８５８６３８２号明細書から公知のように、試料キャリアとしての特殊な吸収性の試験紙の、丸く印が付けられた領域に手で被着され、血液の乾燥後に場合により事前に保管されてから分析に提供され、これは後処理ユニットにおいて、自動化されたプロセス過程に組み込むことができる。被着され乾燥した血液は、不特定量の液体であるため、いずれにしろ最初は、試料キャリアまたは試験紙の印が付けられた領域から、そこで乾燥して分散した、数ミリメートルの直径の物質片を後続の検査のために取り除くことが必要であり、これにより、分析または診断用に所定量の血液を提供することができる。物質片は、適当な溶剤で洗浄される。このようにして得られた抽出物を溶剤分離のために精製した後で、物質を分析に提供することができる。
【０００３】
国際公開第２０１５０４４４５４号に基づき、評価結果または測定結果を改良するために、試料キャリア紙から特に打抜きにより取り除かれるべき乾燥血液量を、毛管通路によってなお一層正確に決定することが公知である。このためには、採取された不特定体積の液体が、それぞれ所定量の血液を収容する複数の毛管通路内に導入され、これらの毛管通路が完全に満たされると、供給箇所に対する流入が中断される。その結果、各毛管通路の流出端部では、毛管通路の収容容積に基づき正確に決定されたまたは較正された血液量のみが、試料キャリア紙または試料キャリア集合カード上の、打抜き用に設けられた約６ｍｍの直径を有する領域内に流入するに過ぎない。較正された血液量を試料キャリア集合カードの上方に案内することができるようにするために、毛管通路の流出端部には、溶解後に通流を可能にする可溶性のダイヤフラムが形成されている。
【発明の概要】
【発明が解決しようとする課題】
【０００４】
この従来技術を起点として、より簡単に、かつユーザにとっては液体、特に血液との接触に対してより安全に、特に試料キャリア集合カード等から個々の試料キャリアを取り除く必要無しに、試料キャリアを分析に供与することができる装置が提供されることが望ましい。本発明による装置は、特に従来技術に対して１つの代替手段を成すものである。
【課題を解決するための手段】
【０００５】
この課題は、請求項１の対象によって解決される。請求項１の対象は、保持手段が、一方ではチューブの収容室内で試料キャリアを保持するため、かつ他方ではプッシュロッドによる力作用に基づく、収容室からの試料キャリアの個別放出を管理するために、弾性的に形成されており、プッシュロッドの少なくともプッシュロッドグリップの領域には、複数の羽根がプッシュロッドの長手方向において互いに離間して配置されており、隣り合う羽根は、プッシュロッドの周方向においてそれぞれ所定の周方向角度だけ、互いにずらされており、チューブの後端部には、プッシュロッドの羽根を、以下で通過角度位置とも呼ぶ少なくとも１つの所定の周方向角度位置においてのみ通過させるように形成された、通過開口が設けられていることを特徴とする。
【０００６】
請求する装置は、有利にはその都度１つの試料キャリアだけを調量して供給する、調量供給装置として働く。プッシュロッドの後端部に対して、例えば作業員の親指により加えられる力作用に基づき、プッシュロッドは例えば任意の距離を押しずらされるのではなく、所定の不連続的な行程長さだけ、チューブ内に押しずらされるに過ぎない。この行程長さは、２つの隣り合う羽根間の間隔にほぼ相当する。この行程長さは、１つの試料キャリアの直径または長さにもほぼ相当する。よって、行程長さは以下で、放出行程とも呼ばれる。行程長さの制限は、請求する特徴の組み合わせによって保証される。具体的には、最初はまだチューブ外に位置する先行の羽根が、その周方向角度位置が通過開口の通過角度位置に対応している場合にのみ、チューブの後端部における通過開口を通過することができる。ただしこの場合、最初はまだチューブ外に位置する、隣り合う次の後続の羽根が通過開口にぶつかるまで、プッシュロッドは所定の放出行程だけ、チューブ内に押し込まれるに過ぎない。この場合、先行する羽根に対する通過角度位置を有している通過開口は、後続の羽根に対しては、その周方向でのずれに基づき、最初は遮断されている。この点において、通過開口は、後続の羽根に対するストッパを形成しており、プッシュロッドの行程制限手段として用いられる。プッシュロッドが周方向に回動させられ、これにより後続の羽根の角度位置が通過開口の通過角度位置に対応して初めて、プッシュロッドを引き続く行程長さだけ、すなわち引き続く放出行程だけ、チューブ内へさらに押し込むことができ、ひいては次の試料キャリアをチューブから押し出すことができる。
【０００７】
プッシュロッドグリップに対する力作用または押圧力は、その都度プッシュロッドおよびチューブの長手方向でプッシュロッドヘッドを介して、チューブの収容室内に１列にまたは重ねられて配置された一番後ろの試料キャリアから、一番前の試料キャリアに伝達される。この場合、一番前の試料キャリアは保持手段を直接に押圧する。力作用が十分に大きいと、保持手段はその弾性に基づき、最終的にその時々の一番前の試料キャリアだけを解放するので、この試料キャリアはチューブから外へ抜け出ることができる。
【０００８】
請求する装置は、上述したように、特に試料キャリアを個別に試験プレートに提供するために役立つ。このような提供過程に際して、試験プレートは、典型的には水平なテーブルの上に載置されており、本発明による装置またはチューブは、テーブルに対して垂直に保持される。
【０００９】
本明細書では、全ての思想をこの配置に関連付けて例として説明する。よって、具体的には、「前端部」は、チューブの、試験プレートに面した端部を意味し、前端部に保持手段が配置されており、前端部からその時々の一番前の試料キャリアが場合によって解放または放出される。これに相応して、同じ意味の「最下位の試料キャリア」または「一番前の試料キャリア」は、保持手段に直接に接触している、次に放出される試料キャリアを意味する。
【００１０】
反対に、チューブの「後端部」は、チューブの、試験プレートおよび保持手段とは反対の側の端部または放出端部とは反対の側に位置する、プッシュロッドが支持された端部を意味する。この場合、「一番後ろの試料キャリア」は同じく、各試料キャリアのうち、プッシュロッドの、保持手段から遠い方の端部のところの試料キャリアを意味する。「一番後ろの試料キャリア」は、「一番上の試料キャリア」と同じ意味である。
【００１１】
液体用にそれぞれ所定の収容容量を備えた試料キャリアは、それ自体が、委託された不特定量の液体からの、その時々の正確な部分量を特定するためのガイド値である。これにより、所定量の液体または血液の乾燥前に、既に系が解かれねばならないという事態を回避できる。よって、閉鎖部材により閉じられた系は、最大の安全性でもって、液状の血液が外部に流出する可能性を防いでいる。液状の血液はむしろ内部でのみ、吸収性の多孔質の試料キャリアの毛管作用に基づき的確に個々の試料キャリアに送られ、この場合、各試料キャリアはそれぞれ、全液体量のうちの事前に設定された（部分）体積のみを収容するに過ぎない。この部分量が乾燥して初めて系が開かれ、試料キャリアが上述のように順次放出される。この場合、キャップが被せ嵌められてまたはねじ嵌められて閉じられた系内で、試料キャリアは既に個別化されているため、従来技術において必要とされるような打抜き過程が完全に省かれる。
【００１２】
液体の所定の部分量を収容するためには、自然な表面状態が毛管現象促進作用を有する極性を備えた、加圧された複数のプラスチック球から成る試料体が適している。プラスチック球は、表面処理により任意に吸収可能状態に変化することができる。この場合、試料キャリアの収容容積は、個々の球の間の空間により決定されるので、幾何学形状の寸法を選択することにより、複数の変化形が可能である。吸収性の試料体が、これらの試料体によりそれぞれ決められた液体部分量（収容容量）で連続的に満たされると、最早引き続いて毛管移動が生じることはない。委託された液体量の余剰分は、閉じられた系内に残留し、このために、スタック層の一番上の、すなわち先に挿入された試料体がパッドまたはリザーバとして使用されてよい。それというのも、ユーザは、透明な、すなわち見通せる材料、例えばガラスまたはプラスチックから成るチューブにおいて血液が一番上の試料キャリア内に流入すると直ぐに、飽和段階への到達を直ちに認めるからである。したがって、不特定量の血液の供給が即刻中断されてよい。血液は、例えばピペットから、あるいは患者の指先または例えば動物の耳たぶから採取してから、注射針を用いて提供することができる。この場合、チューブは液体乾燥後の試料体を取り出すためにしか、キャップを取り外すことにより開けられることはない。
【００１３】
本発明の別の特徴および詳細は、各従属請求項に記載されている。
【００１４】
本明細書には５つの図面が添付されている。
【図面の簡単な説明】
【００１５】
【図１】供給状態における試料キャリアチューブを示す全体斜視図である。
【図２】前の図１に示したものと同じ全体斜視図であるが、図１に対して、委託された不特定量の血液を充填するためにキャップが外され、試料キャリアにアプローチすることができるようになっている。
【図３】チューブの開いた前端部内を見えるようにした、図２とは別の全体斜視図である。
【図４】図３に示したチューブを、試料キャリア乾燥用兼搬送用に被せ嵌められた閉鎖キャップと共に示す図である。
【図５】最下位の試料キャリアを放出するために試験プレートに被せ嵌められた、図３に示したチューブを初期位置で示す図である。
【図６】図５に示した、試験プレートに被せ嵌められたチューブを、放出された一番前の試料キャリアと共に示す図である。
【発明を実施するための形態】
【００１６】
以下に、各図面を参照しながら本発明を実施例の形態で詳細に説明する。全ての図面において、同一の技術的要素には同一の符号が付されている。
【００１７】
図１には、１＜１＜ｎ＜Ｎ個（ｎ、Ｎは自然数の集合）の試料キャリア２００−ｎを提供する、本発明による装置１００の全体斜視図が示されている。各試料キャリア２００−ｎは、所定量の液体、例えば血液を収容するように形成されている。
【００１８】
本発明による装置１００には、複数の試料キャリア２００−ｎを収容するための収容室１１２を備えたチューブ１１０が含まれる。チューブ１１０内部の収容室１１２は、収容室１１２内に個々の試料キャリア２００−ｎをチューブ１１０の長手方向Ｌに重ねて配置することができるように形成されている。チューブ１１０は、その前端部を、例えばキャップまたは栓の形態の閉鎖部材１５０により閉鎖されている。前端部とは反対の側に位置する後端部には、チューブの長手方向において摺動可能に、プッシュロッド１３０が支持されている。このプッシュロッド１３０は、プッシュロッドヘッド１３２の形態の一方の端部でもってチューブ１１０内に潜り込んで、試料キャリア用の収容室１１２を画定している。反対側に位置するプッシュロッドグリップの形態の他方の端部でもって、プッシュロッドはチューブ１１０から突出している。
【００１９】
プッシュロッドには、少なくともそのプッシュロッドグリップ１３４の領域に複数の羽根１４０−ｎが配置されている。羽根１４０−ｎはそれぞれ、プッシュロッドの長手方向Ｌにおいて、所定の相互間隔ａだけ離間して配置されている。さらに、各２つの隣り合う羽根は、プッシュロッド１３０の周方向Ｕにおいて、例えばα＝９０°を有する所定の周方向角度αだけ、互いにずらされている。
【００２０】
チューブ１１０の、前端部とは反対側に位置する後端部は、通過開口１１４を有しており、通過開口１１４は、プッシュロッド１３０の羽根１４０-ｎを所定の周方向角度位置においてのみ通過させるように形成されている。
【００２１】
羽根１４０−ｎは、それぞれプッシュロッド１３０からまたはプッシュロッド１３０の長手方向軸線Ｌから半径方向に延在している。
【００２２】
図１に対応する長手方向部分縦断面Ａ−Ａには、収容室１１２内の試料キャリア２００−ｎの配置が、より正確に示されている。具体的に認められるのは、例えば図示の５つの試料キャリアが収容室１１２内に相上下して重ねられて（スタックされて）配置されている点である。収容室１１２または試料キャリア２００−ｎのスタックは、上方に対してまたはチューブの後端部に対して、プッシュロッド１３０のプッシュロッドヘッド１３２により制限されている。しかしながら、この制限は固定的なものではなく、互いに積み重ねられた試料キャリアの数に応じて可変である。
【００２３】
通過開口が配置されたチューブ１１０の後端部は、作業員の操作快適性向上のために、半径方向に張り出したショルダとして形成されていてよい。具体的には、チューブが片手で握られ、同じ手の親指によりプッシュロッドグリップ１３４に押圧力または力Ｆが加えられる場合に、ショルダ１１８が人差し指に対する対応ホルダとして用いられてよい。
【００２４】
通過開口は、例えば羽根の輪郭に適合したスリットとして形成されており、スリットは、各１つの羽根を、所定の周方向角度位置においてのみ、通過させる。通過開口は、各羽根をそれぞれ異なる周方向角度位置において通過させるように形成されていてもよい。この場合には、通過開口におけるこれらの通過角度位置が、２つの隣り合う羽根１４０−ｎ間の周方向角度αとは同じでないと有利である。なぜならば、さもなければ通過開口１１４が後続の羽根に対するストッパとして働くことができず、力が作用すると直ぐに２つ以上の試料キャリアが放出されると考えられるからである。これは望ましくない。
【００２５】
図２には、先に図１に示したものと同じ装置１００が示されているが、キャップ１５０が取り外されている。キャップの取外しは、特に収容室に試料キャリアを充填するため、および試料キャリアを液体、例えば血液で満たすために行われる。
【００２６】
図３にもやはり、本発明による装置１００の別の斜視図が示されており、この図面では有利には、チューブ１１０の開いた前端部内を見ることができる。チューブ１１０には複数の試料キャリア２００−ｎが充填されており、試料キャリア用の収容室１１２は、その後端部に対してはプッシュロッドヘッド１３２によって、かつその前端部においては弾性的な保持手段１２０によって画定されている。保持手段１２０は、例えば弾性的な孔あき板の形態で、または少なくとも１つの弾性的なまたは弾性的に支持された、半径方向においてチューブ１１０の内部に向かって延在するウェブの形態で形成されていてよい。図３では、全周にわたり配分された、例えば４つの上記のような保持手段が認められる。少なくとも１つの保持手段は、その時々で一番前の試料キャリア２００−１を保持または位置固定するために役立つ。
【００２７】
さらに、チューブ１１０は、図３では少なくともその収容室１１２の領域に複数の長手方向リブ１１６を見せている。長手方向リブ１１６は、チューブの長手方向に延在しておりかつチューブ１１０の半径方向内側に突入して、半径方向において収容室１１２を画定している。特に周方向に配分された長手方向リブにより、収容室１１２は、試料キャリア２００−ｎのスタック層がチューブ１１０の長手方向軸線Ｌに沿って好適には同心的にチューブ内に延在し、そこで長手方向リブ１１６により支持されるように、半径方向において画定される。長手方向リブは、射出成形技術的な理由から、好適にはチューブ１１０と一体的に、かつチューブの壁からチューブ内部に突出した中空体として形成されている。
【００２８】
図３〜図６では、試料キャリアは、試料キャリアの点によって示した液体で満たされている。
【００２９】
本発明による装置１００は、以下のように取り扱われる。
【００３０】
第１のステップにおいて、最初はまだ空のチューブ１１０の前端部に設けられたキャップ１５０が取り外される。次いで第２のステップでは、前端部を介して収容室１１２に個々の試料キャリア２００−１が連続的に充填される。すると、収容室１１２の後端部ではプッシュロッドヘッド１３２により支持され、かつ半径方向では長手方向リブ１１６に支持されて、充填された試料キャリア２００−ｎは自動的に１つのスタック層に配置されることになる。収容室の前端部において、第１のまたは一番前の試料キャリア２００−１は、装置１００が鉛直方向に直立していて前端部が下側に位置している場合でも、設けられた少なくとも１つの弾性的な保持手段１２０により、収容室内に保持される。
【００３１】
次いで第３のステップにおいて、液体、例えば血液が、チューブの開いた前端部を通じて、まず一番前の試料キャリア２００−１に被着される。この場合、最初は第１の試料キャリア２００−１だけが液体を一杯に吸収する。第１の試料キャリア２００−１が飽和し、さらに多くの液体が適用されると、液体は試料キャリアの毛管作用に基づき試料キャリアから試料キャリアへと、最終的に一番後ろの試料キャリア２００−Ｎが液体を一杯に吸収するかまたは液体で満たされるまで、移動する。最後の（スタックにおいて一番上の）試料キャリアが過剰な（不特定の）血液量のためのリザーバ／パッドとして利用される場合、この試料キャリアはチューブ内に残留して、チューブと共に廃棄されてよい。
【００３２】
次いで第４のステップにおいて、典型的にはチューブ１１０の前端部を、閉鎖部材１５０により閉じる（図４参照）。この場合、試料キャリア２１０内の液体は乾燥してよく、チューブは試料キャリアと共に搬送することができる。
【００３３】
チューブに試料キャリアを充填するために、プッシュロッド１３０は少なくとも部分的に、好適には大幅にチューブから引き出されている。プッシュロッドが大きく引き出される程、試料キャリアの充填に供与可能な収容室１１２は増大する。
【００３４】
各試料キャリア２００−ｎは、それぞれ正確な液体設定量を収容することができるように形成されている。装置１００への各試料キャリアおよび液体の充填は、後でそれぞれ１つの試料キャリアだけを、内部に含まれた液体量と共に分離することができるようにするために、すなわち特に試験プレート３００の収容室に適用することができるようにするために役立つ。
【００３５】
このために、充填された複数の試料キャリア２００−ｎを含む本発明による装置は、キャップ１５０が取り外された後、図５に示すように、その開いた前端部でもって、それぞれ充填されるべき収容室３１０の上に被せ嵌められる。
【００３６】
図６には、試験プレート３００の収容室３１０内への第１のまたは一番前の試料キャリア２００−１の供給が示されている。このために、典型的には作業員の手または親指により、力Ｆが上からプッシュロッドグリップ１３４に加えられる。この場合に重要なのは、通過開口１１４の手前に留まっている、先行する羽根の角度位置が、通過開口１１４の周方向角度位置に相当する点である。この場合にのみ、力Ｆにより、先行する羽根１４０−１が通過開口１１４を通過させられると共に、力Ｆは、プッシュロッド１３０とプッシュロッドヘッド１３２とを介してまず、一番後ろの試料キャリア２００−Ｎに伝達される。重ねられ、かつ長手方向リブ１１６によって半径方向において支持された試料キャリアの配置に基づき、次いで力が、一番後ろの試料キャリア２００−Ｎから、一番前の試料キャリア２００−１と保持手段１２０とに伝達される。力Ｆが十分に大きいと、保持手段１２０の保持抵抗に打ち勝ち、次いで一番前の試料キャリア２００−１がチューブの収容室１１２から試験プレート３００の開口３１０内へ押し出される。
【００３７】
続いて第２の試料キャリア２００−２が直ちに収容室から押し出されることは、プッシュロッド１３０が力作用によってチューブ内へ押し込まれる行程長さが、放出行程、すなわちプッシュロッドに設けられた２つの隣り合う羽根間の間隔に制限されていることによって、防止される。この制限は、本発明による装置１００では構造上、２つの隣り合う羽根が周方向にずらされていることにより実現されている。先行する羽根１４０−１は、上述したように、その角度位置が通過開口の通過角度位置に対応しているため、通過開口１１４を通過することができる。ただし、次のまたは後続の羽根１４０−２は、プッシュロッドが周方向に回動されることはないので、最初は通過開口１１４の通過角度位置に対応していない別の独自の角度位置を有している。この角度位置は、最初は通過開口１１４の通過角度位置に対応していないため、後続の羽根１４０−２はまず、先行の羽根の通過後に、力作用に基づき通過開口にぶつかる。この点において、プッシュロッドが力作用時に移動する行程長さまたは放出行程は、先行する羽根と後続の羽根との間の間隔に制限されている。この放出行程は、典型的には１つの試料キャリア２００−ｎの直径または長さまたは高さに相当する。次いで第２の試料キャリアを、典型的には試験プレート３００の別の収容室３１０内へ放出しようとする場合には、事前にプッシュロッド１３０を回動させ、前は後続の羽根であり今は先行する羽根の角度位置を、通過開口の通過角度位置に対応させる必要がある。
【符号の説明】
【００３８】
１００  装置
１１０  チューブ
１１２  チューブの収容室
１１４  通過開口
１１６  長手方向リブ
１１８  ショルダ
１２０  保持手段
１３０  プッシュロッド
１３２  プッシュロッドヘッド
１３４  プッシュロッドグリップ
１４０−１  先行の羽根
１４０−２  後続の羽根
１４０−ｎ  羽根
１５０  閉鎖部材
２００−ｎ  試料キャリア
３００  試験プレート
３１０  試験プレートの収容室
ａ  間隔
Ｌ  長手方向
α  周方向角度
Ｕ  周方向
Ｆ  力
【図１】
2019525130.tif 000003
【図２】
2019525130.tif 000004
【図３】
2019525130.tif 000005
【図４】
2019525130.tif 000006
【図５】
2019525130.tif 000007
【図６】
2019525130.tif 000008
【国際調査報告】
2019525130.tif 000009
2019525130.tif 000010
2019525130.tif 000011
2019525130.tif 000012
2019525130.tif 000013
2019525130.tif 000014